(57)【要約】【課題】  例えばパソコンの操作が困難な高齢者や障害を持つユーザ等でも、パソコンを操作することなくホームページの情報を閲覧・視聴することができる極めて実用性に秀れた情報発信装置を提供することである。【解決手段】  一若しくは複数のＵＲＬが記憶されるＵＲＬ記憶手段と、このＵＲＬ記憶手段に記憶された一若しくは複数のＵＲＬを読み出し、ｂｌｏｇ等のＸＭＬデータから成るコンテンツを配信可能なＸＭＬコンテンツ配信サーバから、この読み出したＵＲＬに対応するコンテンツの前記ＸＭＬデータを取得するＸＭＬデータ取得手段と、この取得した前記ＸＭＬデータを、カーナビ，ディスプレイ，テキスト音読デバイス，プリンタ，ＦＡＸ等の出力デバイスに対し、ユーザが直接理解可能なテキスト情報，画像情報若しくは音声情報に整形変換して出力する情報出力手段とを備えたものである。【選択図】      図１
2007004617.tif 000002
【特許請求の範囲】
【請求項１】
一若しくは複数のＵＲＬが記憶されるＵＲＬ記憶手段と、このＵＲＬ記憶手段に記憶された一若しくは複数のＵＲＬを読み出し、ｂｌｏｇ等のＸＭＬデータから成るコンテンツを配信可能なＸＭＬコンテンツ配信サーバから、この読み出したＵＲＬに対応するコンテンツの前記ＸＭＬデータを取得するＸＭＬデータ取得手段と、この取得した前記ＸＭＬデータを、カーナビ，ディスプレイ，テキスト音読デバイス，プリンタ，ＦＡＸ等の出力デバイスに対し、ユーザが直接理解可能なテキスト情報，画像情報若しくは音声情報に整形変換して出力する情報出力手段とを備えたことを特徴とする情報発信装置。
【請求項２】
前記情報発信装置を制御する制御装置からの前記ＸＭＬデータ取得手段によるＸＭＬデータの取得を即時開始させるＸＭＬデータ即時取得信号，前記ＸＭＬデータの取得を所望若しくは所定の時間に開始させるＸＭＬデータ時限取得信号または前記情報発信装置の起動に応じて、前記読み出したＵＲＬに対応するコンテンツのＸＭＬデータを取得するように前記ＸＭＬデータ取得手段を構成したことを特徴とする請求項１記載の情報発信装置。
【請求項３】
複数の前記情報発信装置を集中制御する集中制御装置からの、前記ＸＭＬデータの取得時間が一括制御された前記ＸＭＬデータ即時取得信号，前記ＸＭＬデータ時限取得信号または前記情報発信装置の起動制御信号に応じて、前記各情報発信装置の前記ＵＲＬ記憶手段から所定のＵＲＬを読み出し、この読み出したＵＲＬに対応するコンテンツのＸＭＬデータを取得して各情報出力手段に所定のコンテンツを連動出力するように前記ＸＭＬデータ取得手段を構成したことを特徴とする請求項２記載の情報発信装置。
【請求項４】
前記制御装置若しくは前記集中制御装置とＶＰＮを介してネットワークで接続し、この制御装置若しくは集中制御装置により遠隔地からネットワーク経由で制御される際、この制御装置若しくは集中制御装置からの制御データが改竄されないようにしたことを特徴とする請求項２，３のいずれか１項に記載の情報発信装置。
【請求項５】
前記ＸＭＬデータ取得手段は、前記ＵＲＬ記憶手段に記憶された一若しくは複数のＵＲＬを自動的に読み出し、前記ＸＭＬコンテンツ配信サーバに、この読み出したＵＲＬに対応するコンテンツの前記ＸＭＬデータの送信を要求することで、前記ＸＭＬデータを自動的に取得するように構成したことを特徴とする請求項１〜４のいずれか１項に記載の情報発信装置。
【請求項６】
前記ＸＭＬデータ取得手段により取得した前記ＸＭＬデータにＵＲＬが含まれる場合、この取得したＸＭＬデータに含まれるＵＲＬに対応するコンテンツの前記ＸＭＬデータを取得する関連ＸＭＬデータ取得手段を備えたことを特徴とする請求項１〜５のいずれか１項に記載の情報発信装置。
【請求項７】
前記ＸＭＬデータ取得手段が取得した前記ＸＭＬデータから成るコンテンツ全体がディスプレイ等の画像表示装置に表示し切れない場合、前記整形変換したテキスト情報若しくは画像情報を、前記画像表示装置にこのテキスト情報若しくは画像情報の表示部位を経時的に遷移せしめながら出力する遷移出力手段を前記情報出力手段に設けたことを特徴とする請求項１〜６のいずれか１項に記載の情報発信装置。
【請求項８】
前記出力デバイスとして、ＬＥＤ電光掲示板やプラズマディスプレイ，防水加工した屋外用ディスプレイのような、外部入力デバイスが接続されておらず、ネットワーク経由で遠隔地から操作可能な画像表示装置を採用したことを特徴とする請求項１〜７いずれか１項に記載の情報発信装置。
【請求項９】
タッチパネル，タッチ式ディスプレイ，マウス，ジョイスティック，スイッチ及び表示機，ペンタブレット，オーディオ機器，印刷機，映像録画再生機器，カメラ，カーナビ，一般電話，携帯電話，情報機器端末等の外部入力デバイスを接続して、前記ＸＭＬデータ取得手段により取得するＵＲＬを変更し得るように構成したことを特徴とする請求項１〜７のいずれか１項に記載の情報発信装置。
【発明の詳細な説明】
【技術分野】
【０００１】
本発明は、情報発信装置に関するものである。
【背景技術】
【０００２】
インターネット等の通信技術の目まぐるしい進歩によりパソコン、携帯電話等があれば容易にいろんな情報を入手できる時代になってきた。
【０００３】
その中でもｂｌｏｇはインターネットを通じた情報の発信手段として操作の容易さや即時性という点で秀れており、有益な情報が記事として多数配信されているが、それらの情報を受益するためには能動的なパソコン操作のリテラリシーがある程度必要であり、また大量の情報が存在するインターネット空間の中でどのようにそれらの情報にナビゲーションするかという問題も存在する。
【発明の開示】
【発明が解決しようとする課題】
【０００４】
本発明は、上述のような現状に鑑み、例えばパソコンの操作が困難な高齢者や障害を持つユーザ等でも、パソコンを操作することなくホームページの情報を閲覧・視聴することができる極めて実用性に秀れた情報発信装置を提供するものである。
【課題を解決するための手段】
【０００５】
添付図面を参照して本発明の要旨を説明する。
【０００６】
一若しくは複数のＵＲＬが記憶されるＵＲＬ記憶手段と、このＵＲＬ記憶手段に記憶された一若しくは複数のＵＲＬを読み出し、ｂｌｏｇ等のＸＭＬデータから成るコンテンツを配信可能なＸＭＬコンテンツ配信サーバから、この読み出したＵＲＬに対応するコンテンツの前記ＸＭＬデータを取得するＸＭＬデータ取得手段と、この取得した前記ＸＭＬデータを、カーナビ，ディスプレイ，テキスト音読デバイス，プリンタ，ＦＡＸ等の出力デバイスに対し、ユーザが直接理解可能なテキスト情報，画像情報若しくは音声情報に整形変換して出力する情報出力手段とを備えたことを特徴とする情報発信装置に係るものである。
【０００７】
また、前記情報発信装置を制御する制御装置からの前記ＸＭＬデータ取得手段によるＸＭＬデータの取得を即時開始させるＸＭＬデータ即時取得信号，前記ＸＭＬデータの取得を所望若しくは所定の時間に開始させるＸＭＬデータ時限取得信号または前記情報発信装置の起動に応じて、前記読み出したＵＲＬに対応するコンテンツのＸＭＬデータを取得するように前記ＸＭＬデータ取得手段を構成したことを特徴とする請求項１記載の情報発信装置に係るものである。
【０００８】
また、複数の前記情報発信装置を集中制御する集中制御装置からの、前記ＸＭＬデータの取得時間が一括制御された前記ＸＭＬデータ即時取得信号，前記ＸＭＬデータ時限取得信号または前記情報発信装置の起動制御信号に応じて、前記各情報発信装置の前記ＵＲＬ記憶手段から所定のＵＲＬを読み出し、この読み出したＵＲＬに対応するコンテンツのＸＭＬデータを取得して各情報出力手段に所定のコンテンツを連動出力するように前記ＸＭＬデータ取得手段を構成したことを特徴とする請求項２記載の情報発信装置に係るものである。
【０００９】
また、前記制御装置若しくは前記集中制御装置とＶＰＮを介してネットワークで接続し、この制御装置若しくは集中制御装置により遠隔地からネットワーク経由で制御される際、この制御装置若しくは集中制御装置からの制御データが改竄されないようにしたことを特徴とする請求項２，３のいずれか１項に記載の情報発信装置に係るものである。
【００１０】
また、前記ＸＭＬデータ取得手段は、前記ＵＲＬ記憶手段に記憶された一若しくは複数のＵＲＬを自動的に読み出し、前記ＸＭＬコンテンツ配信サーバに、この読み出したＵＲＬに対応するコンテンツの前記ＸＭＬデータの送信を要求することで、前記ＸＭＬデータを自動的に取得するように構成したことを特徴とする請求項１〜４のいずれか１項に記載の情報発信装置に係るものである。
【００１１】
また、前記ＸＭＬデータ取得手段により取得した前記ＸＭＬデータにＵＲＬが含まれる場合、この取得したＸＭＬデータに含まれるＵＲＬに対応するコンテンツの前記ＸＭＬデータを取得する関連ＸＭＬデータ取得手段を備えたことを特徴とする請求項１〜５のいずれか１項に記載の情報発信装置に係るものである。
【００１２】
また、前記ＸＭＬデータ取得手段が取得した前記ＸＭＬデータから成るコンテンツ全体がディスプレイ等の画像表示装置に表示し切れない場合、前記整形変換したテキスト情報若しくは画像情報を、前記画像表示装置にこのテキスト情報若しくは画像情報の表示部位を経時的に遷移せしめながら出力する遷移出力手段を前記情報出力手段に設けたことを特徴とする請求項１〜６のいずれか１項に記載の情報発信装置に係るものである。
【００１３】
また、前記出力デバイスとして、ＬＥＤ電光掲示板やプラズマディスプレイ，防水加工した屋外用ディスプレイのような、外部入力デバイスが接続されておらず、ネットワーク経由で遠隔地から操作可能な画像表示装置を採用したことを特徴とする請求項１〜７いずれか１項に記載の情報発信装置に係るものである。
【００１４】
また、タッチパネル，タッチ式ディスプレイ，マウス，ジョイスティック，スイッチ及び表示機，ペンタブレット，オーディオ機器，印刷機，映像録画再生機器，カメラ，カーナビ，一般電話，携帯電話，情報機器端末等の外部入力デバイスを接続して、前記ＸＭＬデータ取得手段により取得するＵＲＬを変更し得るように構成したことを特徴とする請求項１〜７のいずれか１項に記載の情報発信装置に係るものである。
【発明の効果】
【００１５】
本発明は、上述のように構成したから、ＸＭＬデータ取得手段によりＸＭＬコンテンツ配信サーバから自動的に所定のＵＲＬに対応するコンテンツをＸＭＬデータで取得して、このＸＭＬデータを整形変換して情報出力手段から出力することができ、例えば公共の場に設置することで、パソコンの操作が困難な高齢者や障害を持つユーザ等でも、パソコンを操作することなくホームページの情報を閲覧・視聴することができる極めて実用性に秀れた情報発信装置となる。
【００１６】
また、請求項２記載の発明においては、メンテナンスが容易で種々のコンテンツをより効果的に出力できる一層実用性に秀れたものとなる。
【００１７】
また、請求項３記載の発明においては、一層効果的にコンテンツを出力でき、秀れた宣伝広告効果を発揮できる一層実用性に秀れたものとなる。
【００１８】
また、請求項６記載の発明においては、複数の異なる発信元からの情報を一層容易に且つ効果的に組み合わせて出力できる一層実用性に秀れたものとなる。
【００１９】
また、請求項７記載の発明においては、ユーザが操作を行わなくてもテキスト情報若しくは画像情報の全体を表示できる一層実用性に秀れたものとなる。
【００２０】
また、請求項４，５，８，９記載の発明においては、本発明を一層容易に実現できる一層実用性に秀れたものとなる。
【発明を実施するための最良の形態】
【００２１】
好適と考える本発明の実施形態（発明をどのように実施するか）を、図面に基づいて本発明の作用を示して簡単に説明する。
【００２２】
ＵＲＬ記憶手段に記憶されたＵＲＬを自動的に読み出し、このＵＲＬに対応するコンテンツのＸＭＬデータを取得して、この取得したＸＭＬデータをディスプレイ等の出力デバイスに対してユーザが直接理解可能なテキスト情報，画像情報若しくは音声情報として出力する。
【００２３】
従って、予めＵＲＬ記憶手段に発信したいコンテンツを含むＵＲＬを記憶させておき、このＵＲＬ記憶手段及び情報出力手段を備えた出力デバイスを不特定多数のユーザが閲覧・視聴可能な場所に設置することで、ユーザは自らパソコン等の端末を操作する必要なく、自動的に発信されるコンテンツを閲覧・視聴することができる。
【００２４】
即ち、例えば、養護施設や福祉施設等に設置すれば、端末の操作が困難な高齢者や障害を持つユーザにもネット上にＸＭＬで蓄積された情報にアクセスする機会を提供できることになる。
【００２５】
更に、例えば、テキスト音声読み上げ装置を外部出力デバイスとして接続することで視覚障害者に、音声認識装置を外部入力デバイスに使うことで手や腕に障害を持つ障害者に、自動車の車内に設置可能な小型の電光掲示板やカーナビを外部出力デバイスとして使うことで運転を妨げることなく運転中のドライバーに、夫々インターネットで発信されている情報にアクセスする機会を提供できることになる。
【００２６】
また、ＸＭＬで宣伝用のコンテンツを作成してサーバにアップロードし、このコンテンツのＵＲＬをＵＲＬ記憶手段に記憶しておけば、宣伝広告を行うこともできる。特に、ＸＭＬデータから成るｂｌｏｇ等の作成（投稿）は極めて簡単であるから、中小企業や個人商店にとっては、コスト安にして簡便で即時性の高い広告の発信手段となる。
【００２７】
更に、複数の異なる発信元からの情報を組み合わせて表示することで、例えば、テキスト情報から成るコンテンツとこのコンテンツに関連する音声情報から成るコンテンツとを同時に出力することで、各情報間のシナジー（相乗効果）を生み出す新しい表現手段として用いることができる。
【００２８】
また、例えば、前記情報発信装置を制御する制御装置からの前記ＸＭＬデータ取得手段によるＸＭＬデータの取得を即時開始させるＸＭＬデータ即時取得信号，前記ＸＭＬデータの取得を所望若しくは所定の時間に開始させるＸＭＬデータ時限取得信号または前記情報発信装置の起動に応じて、前記読み出したＵＲＬに対応するコンテンツのＸＭＬデータを取得するように前記ＸＭＬデータ取得手段を構成した場合には、任意の時間に自動的に所定のＵＲＬに対応するコンテンツを出力したり、端末の起動により自動的にコンテンツを出力できることになり、メンテナンスが容易で種々のコンテンツをより効果的に出力することが可能となる。
【００２９】
また、例えば、複数の前記情報発信装置を集中制御する集中制御装置からの、前記ＸＭＬデータの取得時間が一括制御された前記ＸＭＬデータ即時取得信号，前記ＸＭＬデータ時限取得信号または前記情報発信装置の起動制御信号に応じて、前記各情報発信装置の前記ＵＲＬ記憶手段から所定のＵＲＬを読み出し、この読み出したＵＲＬに対応するコンテンツのＸＭＬデータを取得して各情報出力手段に所定のコンテンツを連動出力するように前記ＸＭＬデータ取得手段を構成した場合には、例えば街頭に集中制御装置により集中制御される複数の端末を設置すると、これの複数の端末に、クリスマスにはクリスマスに、正月には正月に、祭りの時期には祭りに関連するコンテンツを、夫々の端末からある時間に同時に連動出力させること等が可能となり、極めて画期的な表現手段となり、秀れた宣伝広告効果を発揮できることになる。
【００３０】
また、例えば、前記制御装置若しくは前記集中制御装置とＶＰＮを介してネットワークで接続し、この制御装置若しくは集中制御装置により遠隔地からネットワーク経由で制御される際、この制御装置若しくは集中制御装置からの制御データが改竄されないようにした場合には、この制御データの改竄による情報発信装置の乗っ取りを阻止できることになる。
【００３１】
また、例えば、前記ＸＭＬデータ取得手段は、前記ＵＲＬ記憶手段に記憶された一若しくは複数のＵＲＬを自動的に読み出し、前記ＸＭＬコンテンツ配信サーバに、この読み出したＵＲＬに対応するコンテンツの前記ＸＭＬデータの送信を要求することで、前記ＸＭＬデータを自動的に取得するように構成した場合には、一層容易に本発明を実現できることになる。
【００３２】
また、例えば、前記ＸＭＬデータ取得手段により取得した前記ＸＭＬデータにＵＲＬが含まれる場合、この取得したＸＭＬデータに含まれるＵＲＬに対応するコンテンツの前記ＸＭＬデータを取得する関連ＸＭＬデータ取得手段を備えた場合には、例えばあるテキスト情報から成るコンテンツに関連する音声情報をも出力できることになり、複数の異なる発信元からの情報を一層容易に且つ効果的に組み合わせて出力できることになる。
【００３３】
また、例えば、前記ＸＭＬデータ取得手段が取得した前記ＸＭＬデータから成るコンテンツ全体がディスプレイ等の画像表示装置に表示し切れない場合、前記整形変換したテキスト情報若しくは画像情報を、前記画像表示装置にこのテキスト情報若しくは画像情報の表示部位を経時的に遷移せしめながら出力する遷移出力手段を前記情報出力手段に設けた場合には、テキスト情報若しくは画像情報がディスプレイ等の画像表示装置の一表示単位（一画面）に表示しきれない量であっても、自動的にスクロールしながら全体を表示できることになり、この点からもユーザが操作を行う必要はないことになる。
【００３４】
また、例えば、前記出力デバイスとして、ＬＥＤ電光掲示板やプラズマディスプレイ，防水加工した屋外用ディスプレイのような、外部入力デバイスが接続されておらず、ネットワーク経由で遠隔地から操作可能な画像表示装置を採用した場合には、ユーザが操作を行う必要が一切なく、一層効果的に不特定多数のユーザに対して宣伝広告を行えることになる。
【００３５】
また、例えば、タッチパネル，タッチ式ディスプレイ，マウス，ジョイスティック，スイッチ及び表示機，ペンタブレット，オーディオ機器，印刷機，映像録画再生機器，カメラ，カーナビ，一般電話，携帯電話，情報機器端末等の外部入力デバイスを接続して、前記ＸＭＬデータ取得手段により取得するＵＲＬを変更し得るように構成した場合には、例えば予めＵＲＬ記憶手段に記憶しておいた複数のＵＲＬを自在に切り替えて任意のコンテンツを出力できることになる。
【実施例】
【００３６】
本発明の具体的な実施例について図面に基づいて説明する。尚、以下の説明及び図面において略同一の機能及び構造を有する構成要素については、同一符号を付することにより重複説明を省略する。
【００３７】
本実施例は、一若しくは複数のＵＲＬ103が記憶されるＵＲＬ記憶手段107と、このＵＲＬ記憶手段107に記憶された一若しくは複数のＵＲＬ103を読み出し、ｂｌｏｇ等のＸＭＬデータ101から成るコンテンツを配信可能なＸＭＬコンテンツ配信サーバ102から、この読み出したＵＲＬ103に対応するコンテンツの前記ＸＭＬデータ101を取得するＸＭＬデータ取得手段104と、この取得した前記ＸＭＬデータ101を、カーナビ，ディスプレイ，テキスト音読デバイス，プリンタ，ＦＡＸ等の出力デバイス108に対し、ユーザが直接理解可能なテキスト情報，画像情報若しくは音声情報に整形変換して出力する情報出力手段109とを備えたものである。
【００３８】
具体的には、前記ＸＭＬデータ取得手段104は、前記ＵＲＬ記憶手段107に記憶された一若しくは複数のＵＲＬ103を自動的に読み出し、前記ＸＭＬコンテンツ配信サーバ102に、この読み出したＵＲＬ103に対応するコンテンツの前記ＸＭＬデータ101の送信を要求することで、前記ＸＭＬデータ101を自動的に取得するように構成している。
【００３９】
更に、前記ＸＭＬデータ取得手段104が取得した前記ＸＭＬデータ101から成るコンテンツ全体がディスプレイ等の画像表示装置に表示し切れない場合、前記整形変換したテキスト情報若しくは画像情報を、前記画像表示装置にこのテキスト情報若しくは画像情報の表示部位を経時的に遷移せしめながら出力する遷移出力手段を前記情報出力手段109に設けている。
【００４０】
図１は、ＸＭＬコンテンツ配信サーバ102よりＸＭＬデータ101を取得する際の概略説明図である。
【００４１】
情報発信装置105内にあるＸＭＬデータ取得手段104は、一定間隔でＵＲＬ記憶手段107にリクエスト100して、そこに記録されているＵＲＬ103を読み出す。ＵＲＬ記憶手段107はＵＲＬ103で指定されたＸＭＬコンテンツ配信サーバ102のＸＭＬデータ101をリクエスト100する。このリクエスト100により取得したＸＭＬデータ101は、情報発信装置105内の情報出力手段109によって、不特定多数のユーザが直接理解可能なテキスト情報に整形した上で、表示位置を経時的に遷移させながら、出力デバイス108に出力する機能を有する。尚、前記ＵＲＬ記憶手段107へのリクエスト100は、一定間隔に限らず、例えばランダム等任意の間隔で行っても良い。
【００４２】
具体的には、前記情報発信装置105を制御する制御装置（集中制御装置106）からの前記ＸＭＬデータ取得手段104によるＸＭＬデータ101の取得を即時開始させるＸＭＬデータ即時取得信号110，前記ＸＭＬデータの取得を所望若しくは所定の時間に開始させるＸＭＬデータ時限取得信号111または前記情報発信装置105の起動に応じて、前記読み出したＵＲＬ103に対応するコンテンツのＸＭＬデータ101を取得するように前記ＸＭＬデータ取得手段104を構成している。
【００４３】
図２は、集中制御装置106による制御により入力デバイス117からの入力なしで自動的にＸＭＬデータ101を取得する際の概略説明図である。
【００４４】
情報発信装置105は集中制御装置106が出力した（ＸＭＬデータ）即時取得信号110をネットワーク112を経由して自動的に一定間隔で受信する。情報発信装置105は、受信した即時取得信号110の内容に基づいて、ＵＲＬ記憶手段107より、ＸＭＬデータ101の取得先となる一若しくは複数のＸＭＬコンテンツ配信サーバ102のＵＲＬ103を読み込み、それに基づいて各ＸＭＬコンテンツ配信サーバ102のＸＭＬデータ101を取得する。
【００４５】
取得したＸＭＬデータ101は即時取得信号110で指定された文字色や背景色などの視聴覚効果を付けた上で出力デバイス108に表示する。ＸＭＬコンテンツ配信サーバ102より取得したＸＭＬデータ101のデータ量が一回の出力デバイス108の出力範囲を超える場合は、スクロールなど出力範囲を経時的に遷移せしめながらその全体を表示する。
【００４６】
また、集中制御装置106は情報発信装置105に対して（ＸＭＬデータ）時限取得信号111を送り、周期的なＸＭＬデータ101の取得を促すことで、コンテンツの陳腐化を回避するように構成しても良い。尚、前記集中制御装置106からの即時取得信号110の出力は一定間隔に限らず、例えばランダム等任意の間隔で行っても良い。
【００４７】
更に具体的には、本実施例は、複数の前記情報発信装置105を集中制御する集中制御装置106からの、前記ＸＭＬデータ101の取得時間が一括制御された前記ＸＭＬデータ即時取得信号110，前記ＸＭＬデータ時限取得信号111または前記情報発信装置105の起動制御信号に応じて、前記各情報発信装置105の前記ＵＲＬ記憶手段107から所定のＵＲＬ103を読み出し、この読み出したＵＲＬ103に対応するコンテンツのＸＭＬデータ101を取得して各情報出力手段109に所定のコンテンツを連動出力するように前記ＸＭＬデータ取得手段104を構成している。
【００４８】
図３は、複数の情報発信装置105を集中制御装置により制御する際の概略説明図であり、具体的には以下のようにして各情報出力手段109に所定のコンテンツを連動出力する。
【００４９】
集中制御装置106は情報発信装置105a，105b〜105nに対して即時取得信号110を一括送信する。即時取得信号110を受信した一若しくは複数の情報発信装置105a，105b〜105nはその内容に基づいて各ＸＭＬコンテンツ配信サーバ102のＸＭＬデータ101を取得した上で、即時取得信号110で指定された文字色や背景色などの視聴覚効果を付けた上で画面に表示する。
【００５０】
この際、即時取得信号110は前記複数の情報発信装置105a，105b〜105nに一括送信（同時に送信）して、各ＸＭＬデータ取得手段104を連動せしめ、この読み出したＵＲＬに対応するコンテンツのＸＭＬデータ101を取得して各情報出力手段109に所定のコンテンツを連動出力することで、複数の出力デバイス108から所定の映像・音声等を連動出力する。
【００５１】
即ち、集中制御装置106からの各種の制御信号により、ＸＭＬデータ取得手段104によるＸＭＬデータ取得開始時間を揃えるようにし、複数の情報発信装置105a，105b〜105nから所定のコンテンツを同時に出力し得るように構成している。
【００５２】
尚、即時取得信号110ではなく時限取得信号111を送信するように構成しても良く、この時限取得信号111の内容に基づいて、所定若しくは所望の時間に前記ＸＭＬデータ101を取得するように構成しても良い。この場合には、同時に送信する必要はない。また、情報発信装置105を起動せしめる起動制御信号を所定若しくは所望の時間に送信して、この情報発信装置105を起動させた際、前記ＸＭＬデータを取得するように構成しても良い。
【００５３】
また、本実施例は、前記集中制御装置106とＶＰＮ113を介してネットワーク112で接続し、この集中制御装置106により遠隔地からネットワーク経由で制御される際、この集中制御装置106からの制御データが改竄されないようにしている。
【００５４】
図４は、集中制御装置106によりＶＰＮを介して制御される際の概略説明図である。
【００５５】
集中制御装置106が即時取得信号110もしくは時限取得信号111を情報発信装置105に送信する際にＶＰＮ113を介在させることで、改竄による情報発信装置105の乗っ取りを防ぐことができる。
【００５６】
尚、本実施例においては複数の情報発信装置105を集中制御する集中制御装置106について詳述しているが、一の情報発信装置105を制御する制御装置も同様の構成である。
【００５７】
図５は複数のＸＭＬコンテンツ配信サーバ102a，102b〜102nより複数のＸＭＬデータ101a，101b〜101nを取得する際の概略説明図である。
【００５８】
本実施例においては、情報発信装置105の一回のリクエスト100でＵＲＬ記憶手段107より複数のＵＲＬ103a，103b〜103nを読み出し得るように構成したＵＲＬ複数同時読み出し機構を備えている。
【００５９】
また、情報発信装置105は、複数のＵＲＬ103a，103b〜103nで指定されるうちの一つのＵＲＬ103をＸＭＬデータ101の取得先として選択することが可能だが、一つに限らず各ＵＲＬ103a，103b〜103nで指定された複数のＸＭＬデータ101a、101b〜101nをマージして出力する統合出力装置を設けて、あたかも一つのコンテンツとして表示するように構成しても良い。
【００６０】
また、本実施例は、前記ＸＭＬデータ取得手段104により取得した前記ＸＭＬデータ101にＵＲＬ103が含まれる場合、この取得したＸＭＬデータ101に含まれるＵＲＬ103に対応するコンテンツの前記ＸＭＬデータ101を取得する関連ＸＭＬデータ取得手段114を備えている。
【００６１】
図６は、ＸＭＬデータ101にＵＲＬ103が含まれる場合にこのＵＲＬ103に対応するコンテンツ（関連データ116）を取得・出力する際の概略説明図である。
【００６２】
情報発信装置105内部のＸＭＬデータ取得手段104がＵＲＬ記憶手段107より読み込んだＵＲＬ103に基づいてＸＭＬコンテンツ配信サーバ108より取得したＸＭＬデータ101中に画像・音声などの特定の関連データを指定するＵＲＬの埋め込みが検出されたとき、関連（ＸＭＬ）データ取得手段114は関連（ＸＭＬ）データ記憶手段115より、関連データ116を取得し、情報出力手段109を通じて出力する。
【００６３】
尚、関連データ取得手段114は、関連データ116に更にＵＲＬ103が含まれる場合に、このＵＲＬ103で指定されたＸＭＬデータ101（関連データ116の関連データ）を取得し得るように構成しても良い。
【００６４】
また、タッチパネル，タッチ式ディスプレイ，マウス，ジョイスティック，スイッチ及び表示機，ペンタブレット，オーディオ機器，印刷機，映像録画再生機器，カメラ，カーナビ，一般電話，携帯電話，情報機器端末等の外部入力デバイス117を接続して、前記ＸＭＬデータ取得手段104により取得するＵＲＬ103を変更し得るように構成している。
【００６５】
図７は、別例の入力デバイス117からの指示に応じて取得するＸＭＬデータ101を選択する際の概略説明図である。
【００６６】
情報発信装置105はＵＲＬ記憶手段107より一若しくは複数のＵＲＬ103のセットＵＲＬ103a、ＵＲＬ103b〜ＵＲＬ103nを読み込む。接続された入力デバイス117の入力に基づいて一つのＵＲＬ103を選択し、情報発信装置105はＵＲＬ103でＸＭＬコンテンツ配信サーバ102より取得したＸＭＬデータ101を出力する。
【００６７】
尚、前記出力デバイス108として、ＬＥＤ電光掲示板やプラズマディスプレイ，防水加工した屋外用ディスプレイのような、外部入力デバイスが接続されておらず、ネットワーク経由で遠隔地から操作可能な画像表示装置を採用しても良い。
【００６８】
本実施例は上述のように構成したから、大半のｂｌｏｇが投稿された記事をＸＭＬで記述されたテキストデータにより出力可能であり、専用端末でそれを受信し、一般的なテキスト形式に変換した上でテキストスクロールや音声などによって表示位置を経時的に遷移させながら、その全体を出力することができる。テキストの表示位置を経時的に遷移させるのは変換したテキストの情報量が例えばディスプレイ画面のような一表示単位に収まるとは限らないからである。
【００６９】
ＸＭＬで記述されたテキストデータはＸＭＬタグによって見出しなどの文書の構成要素が明示的に表現されており、処理が容易で視覚的効果を付け易い特色を有する。
【００７０】
この専用端末は外部からネットワークで遠隔操作可能とすることもでき、しかも表示位置を経時的に遷移させることも可能で、一度起動させた後はＵＲＬの取得先の選択を除き原則的にユーザに操作を要求しない（ＵＲＬの取得先の選択をも自動で行うことも可能である。）。そのため、この専用端末を公共の場に設置することによって、あたかもテレビ番組のように不特定多数のユーザにコンテンツを同時配信することが可能となる。
【００７１】
尚、本発明は、本実施例に限定されるものではなく、各構成要件の具体的構成は適宜設計し得るものである。
【図面の簡単な説明】
【００７２】
【図１】本実施例に係る情報発信装置がＸＭＬコンテンツ配信サーバよりＸＭＬデータを取得する際の概略説明図である。
【図２】本実施例に係る情報発信装置が集中制御装置による制御により入力デバイスからの入力なしで自動的にＸＭＬデータを取得する際の概略説明図である。
【図３】本実施例に係る複数の情報発信装置が集中制御装置により制御される際の概略説明図である。
【図４】本実施例に係る情報発信装置が集中制御装置によりＶＰＮを介して制御される際の概略説明図である。
【図５】本実施例に係る情報発信装置が複数のＸＭＬコンテンツ配信サーバより複数のＸＭＬデータを取得する際の概略説明図である。
【図６】本実施例に係る情報発信装置がＸＭＬデータにＵＲＬが含まれる場合にこのＵＲＬに係る関連データを取得・出力する際の概略説明図である。
【図７】別例に係る情報発信装置が入力デバイスからの指示に応じて取得するＸＭＬデータを選択する際の概略説明図である。
【図１】
2007004617.tif 000003
【図２】
2007004617.tif 000004
【図３】
2007004617.tif 000005
【図４】
2007004617.tif 000006
【図５】
2007004617.tif 000007
【図６】
2007004617.tif 000008
【図７】
2007004617.tif 000009